(57)【要約】【課題】低コストで保守管理が容易な吸殻回収装置と該装置を備えた遊技機とを提供する【解決手段】灰皿部３０が吸殻５３でいっぱいになると、遊技者は、ダイヤルを所定方向に回転操作することで各仕切り板３４ｄを次の所定位置に移動させる。これにより、開口３１ａの中に新しい灰皿部３０が現れているので、遊技者は、遊技場のスタッフに灰皿部３０の清掃を行ってもらわずに喫煙を継続できる。灰皿部３０に収納された吸殻５３は、ダイヤルが一回転するごとに装置の奥へ搬送されていき、搬送ベルト３４ｃの端部に達したときに落下して下部の排出孔３１ｂから排出される。排出された吸殻５３は、設置台５０のダクト５０ｂを落下して回収箱５１に回収される。【選択図】図２
2008229071.tif 000002
【特許請求の範囲】
【請求項１】
遊技機に着脱自在なケースと、
前記ケースの内部に回転自在に取り付けられた搬送ローラ対と、
前記搬送ローラ対に掛け渡された搬送ベルトと、
前記搬送ローラ対の少なくとも一方の搬送ローラを回転させて前記搬送ベルトを移動させる回転操作部材と、
前記搬送ベルトの移動方向と略直交するように搬送ベルトの表面に間隔をおいて突設された複数の仕切り板と、
隣り合う一対の前記仕切り板と前記搬送ベルトと前記ケースとで囲まれた空間に吸殻を入れることができるように、前記ケースの上面に設けた開口とを備えたことを特徴とする吸殻回収装置。
【請求項２】
前記ケースは、前記空間に収納されて、前記回転操作部材の操作により所定位置に搬送された吸殻を、前記ケースの外へ排出するための排出孔を設けたことを特徴とする請求項１記載の吸殻回収装置。
【請求項３】
前記搬送ローラ対は前記ケースに略水平に取り付けられており、
前記空間に収納された状態で前記回転操作部材の操作により前記搬送ベルトの端部まで順次に搬送されて落下した吸殻を収納するための吸殻収納部を備えたことを特徴とする請求項１記載の吸殻回収装置。
【請求項４】
請求項１ないし３いずれか記載の吸殻回収装置を備えたことを特徴とする遊技機。
【発明の詳細な説明】
【技術分野】
【０００１】
本発明は、遊技機に取り付けられて使用される吸殻回収装置及び該装置を備えた遊技機に関する。
【背景技術】
【０００２】
遊技場に設置されているスロットマシンやパチンコなどの遊技機は、喫煙しながら遊技できるように灰皿が設けられている。しかし、この灰皿は、遊技機の付属物であるため、設計上の制約から普通の灰皿と比較すると吸殻を収容できる容量がかなり小さく、すぐに吸殻でいっぱいになってしまう。この場合、遊技場の清掃スタッフが灰皿の清掃を行うのだが、遊技に夢中になっている遊技者にとっては、清掃作業に気をとられて遊技の邪魔になってしまうことがあるという問題があった。
【０００３】
これに対して、特許文献１では、複数のパチンコ機が設置された島に共通のベルトコンベアを設けてモータで駆動するようにし、パチンコ機に付属する灰皿から落下した吸殻をベルトコンベアの吸水性ベルトに載せて所定の容器へと運んで回収するパチンコ機用タバコの吸殻処理装置が提案されている。この装置のベルトコンベアは、吸水性ベルトが前記容器に満たされた水に浸されるように配設されていることで吸殻からの出火の危険性を排除している。また、特許文献２では、一定間隔で灰皿が埋設されたテーブルの下方に、ローラ対にスチールベルトを掛け渡してなる搬送機構を設けて、モータで駆動するようにし、スチールベルトの端部の下方に水を入れた吸殻収納容器を取り付けた吸殻回収装置が提案されている。
【特許文献１】特開昭６１−５０５８１号公報
【特許文献２】実開平６−３８５９５号公報
【発明の開示】
【発明が解決しようとする課題】
【０００４】
しかしながら、これらの装置は大規模であるため製造コストがかかりすぎる上、島ごとに設けられているので、装置の清掃などの保守管理を行う必要が生じたときに、島に設置してある全ての遊技機の動作を止める必要があるという問題がある。本発明は、上記課題を解決するためになされたもので、低コストで保守管理が容易な吸殻回収装置と該装置を備えた遊技機とを提供するものである。
【課題を解決するための手段】
【０００５】
上記課題を解決するために、本発明の吸殻回収装置は、遊技機に着脱自在なケースと、前記ケースの内部に回転自在に取り付けられた搬送ローラ対と、前記搬送ローラ対に掛け渡された搬送ベルトと、前記搬送ローラ対の少なくとも一方の搬送ローラを回転させて前記搬送ベルトを移動させる回転操作部材と、前記搬送ベルトの移動方向と略直交するように搬送ベルトの表面に間隔をおいて突設された複数の仕切り板と、隣り合う一対の前記仕切り板と前記搬送ベルトと前記ケースとで囲まれた空間に吸殻を入れることができるように、前記ケースの上面に設けた開口とを備えた。
【０００６】
前記吸殻回収装置において、前記ケースに、前記空間に収納されて、前記回転操作部材の操作により所定位置に搬送された吸殻を、前記ケースの外へ排出するための排出孔を設けてもよい。また、前記吸殻回収装置において、前記搬送ローラ対を前記ケースに略水平に取り付けて、前記空間に収納された状態で前記回転操作部材の操作により前記搬送ベルトの端部まで順次に搬送されて落下した吸殻を収納するための吸殻収納部を備えてもよい。なお、本発明の遊技機は、前記吸殻回収装置を備えたものである。
【発明の効果】
【０００７】
本発明の吸殻回収装置または、これを備えた遊技機により、遊技者は自分の都合のいいタイミングで上記回転操作部材を操作することで、吸殻を収納する空間（灰皿として機能する。）を次々と切り替えることができる。これにより、装置内に吸殻がいっぱいにならない限り吸殻の清掃作業を行う必要がなく、清掃作業の回数を低減させることができるため、遊技者は、喫煙しつつ快適に遊技を堪能することができる。また、この吸殻回収装置は、モータなどを使用しないので、低コストに製造できるだけでなく、電気代などがかからないために維持費も安く、さらに遊技機ごとに取り付けるものであるため保守管理が容易である。吸殻回収装置自体の清掃や故障による交換などを行う場合、該当する遊技機のみ動作を停止させれば済むからである。
【０００８】
なお、この吸殻回収装置に吸殻の排出孔を設けることで、吸殻を外部に設置した容器に蓄積して収納することができる。これにより、吸殻の清掃作業をさらに低減することができる。また、装置自体に吸殻収納部を設けても同様の効果を奏する。
【発明を実施するための最良の形態】
【０００９】
図１に示すように、本発明に係る吸殻回収装置を用いた遊技機の一例であるスロットマシン２の筺体３は、収納箱４と、収納箱４の前面側に開閉自在に取り付けられた前面扉５とから構成されている。前面扉５の上部には、ＬＣＤ６が設けられている。このＬＣＤ６の上方には、ランプ７と二個のスピーカ８が設けられている。ＬＣＤ６、ランプ７及びスピーカ８は、遊技の演出に用いられる。
【００１０】
ＬＣＤ６の下方には図柄表示窓１０が設けられ、図柄表示窓１０の奥に第１リール１１ａ，第２リール１１ｂ，第３リール１１ｃが回転自在に組み込まれている。周知のように、第１〜第３リール１１ａ〜１１ｃの外周には様々な図柄が一定ピッチで配列され、リールが停止した状態では図柄表示窓１０を通して１リール当たり３個の図柄が観察される。図柄表示窓１０には、各リールの図柄を１個ずつ組み合わせた直線状の入賞ラインが横３本斜め２本の合計５本設定されており、所定の図柄が揃った時にコインを払い出すなどの遊技上の特典が遊技者に与えられる。
【００１１】
前面扉５の上部で図柄表示窓１０の下方にはクレジット枚数表示窓１２が設けられおり、遊技者が投入したメダル枚数を確認することができるようになっている。なお、スロットマシン２にクレジット可能なメダルの枚数は５０枚が限度である。前面扉５には、操作パネル１６が設けられている。この操作パネル１６には、１枚ベットボタン１７、ＭＡＸベットボタン１８、精算ボタン１９、スタートレバー２０、第１ストップボタン２１ａ、第２ストップボタン２１ｂ、第３ストップボタン２１ｃなどの操作ボタンが設けられている。また、この操作パネル１６には、メダル投入口２２が設けられている。なお、これら操作ボタンやメダル投入口２２の機能については周知であるため、詳細については省略する。なお、収納箱４の内部には、第１〜第３リール１１ａ〜１１ｃの他に、メダルホッパ（図示せず）が設けられており、このメダルホッパから払い出されたメダルは、メダル払い出し口２７を経てメダル受け皿２８に払い出される。
【００１２】
スロットマシン２の下部のメダル受け皿２８と隣接する位置には、吸殻回収装置１が設けられており、遊技者が喫煙したタバコの吸殻を回収するようになっている。吸殻回収装置１は、略直方体のケース３１と、遊技者が操作するためのダイヤル３３と、ギア収納部３２が設けられている。ケース３１は、板金などの非可燃性の素材で形成されており、後述するようにスロットマシン２の収納箱４に着脱自在となっている。ケース３１には、装置前面から突出した部分の上面に開口３１ａが設けられており、その開口３１ａの内部に灰皿部３０が形成されている。したがって、遊技者は、この灰皿部３０を灰皿として使用し、タバコの吸殻を入れることができるようになっている。なお、ケース３１は、遊技者の安全のため、熱伝導性を低く抑えるように形成するのが望ましい。
【００１３】
ダイヤル３３は、灰皿部３０が吸殻でいっぱいになった場合に、遊技者が一定方向（図中の矢印を参照）に回転操作することにより、新たな灰皿部３０に切り替えるためのもので、ギア収納部３２に収納されたギア機構とともに回転操作部材を構成する。ダイヤル３３及びギア収納部３２の主面には、それぞれ指標３３ａ，３２ａが印字されており、ダイヤル３３を回転操作して指標３３ａ，３２ａの位置を互いに合わせることで、後述する仕切り板の位置がずれることなく、正常に灰皿部３０が切り替えられるようになっている。なお、本実施形態のようにダイヤル３３を用いなくとも、ハンドルなどの部品を代わりに使用してもよい。
【００１４】
図２のように、吸殻回収装置１は、ケース３１の内部に、スロットマシン２の幅方向において略水平に取り付けられた搬送ローラ対３４ａ，３４ｂと、この搬送ローラ対３４ａ，３４ｂに掛け渡された搬送ベルト３４ｃと、搬送ベルト３４ｃの移動方向とは略直交するように搬送ベルト３４ｃの表面に一定間隔で略垂直に突設された仕切り板３４ｄからなる搬送機構３４を備えている。搬送ローラ対３４ａ，３４ｂは、それぞれに設けられたローラ軸３４ｅ，３４ｆにより回転自在であり、ダイヤル３３の操作に連動して回転する駆動ローラ３４ａと、搬送ベルト３４ｃを介して従属して回転する従動ローラ３４ｂとからなり、ダイヤル３３の操作に連動して搬送ベルト３４ｃを一定方向（図中、左回転方向）に移動させることができるようになっている。
【００１５】
搬送ベルト３４ｃは、いわゆる歯付きベルトであり、裏面に凹凸が形成され、駆動ローラ３４ａ及び従動ローラ３４ｂの表面に形成された凸凹と組み合わされた状態で駆動されるので、仕切り板３４ｄの位置決めを正確に行うことができるようになっている。なお、搬送ベルト３４ｃは、ステンレスなどの非可燃性の素材で形成されている。
【００１６】
仕切り板３４ｄは、同様に非可燃性の素材で形成され、搬送ベルト３４ｃの表面に融着するなどして設けられており、ダイヤル３３の操作によって搬送ベルト３４ｃとともに一定方向（図中、矢印を参照）に移動する。隣り合う一対の仕切り板３４ｄと、ケース３１と、搬送ベルト３４ｃとで囲まれる空間は、それぞれ独立した領域を形成しており、これらの空間のうち、開口３１ａの下方に位置している空間が灰皿部３０となり、遊技者が吸殻５３を入れることができるようになっている。灰皿部３０は、搬送ベルト３４ｃの端部分と略水平に保持された仕切り板３４ｄとで底面が構成され、開口３１ａ周辺のケース３１の内側面と略垂直に保持された仕切り板３４ｄとで側面が構成されており、後述するギア機構３６により、指標３３ａ，３２ａの位置が互いに合致している限り、この仕切り板３４ｄの位置は同じである。また、灰皿部３０に収納された吸殻５３は、搬送ベルト３４ｃの移動に伴って搬送され、端部に到達したときに搬送ベルト３４ｃから落下して、ケース３１の底面に設けた排出孔３１ｂから外部へと排出される。
【００１７】
スロットマシン２を設置する設置台５０の内部には、排出孔３１ｂと連接するダクト５０ｂが斜め下方に延びるように設けられており、排出孔３１ｂから排出された吸殻５３を下部の前面側に設けられた収納部５０ａへと誘導する。収納部５０ａには、回収箱５１が配置されており、吸殻５３を回収することができるようになっている。回収箱５１は、少なくとも吸殻回収装置１に収納可能な吸殻の量を収容できるだけの十分な容量を有し、また、回収箱５１の中には所定量の水が満たされているために火災を防止することができる。回収箱５１の前面には取っ手５２が取り付けられており、吸殻５３がいっぱいになって清掃を行う際、容易に回収箱５１を設置台５０から引き出すことができるようになっている。なお、遊技場のスタッフ以外が容易に回収箱５１を設置台５０から引き抜けないように、回収箱５１と設置台５０にシリンダー錠などによるロック機構を備えてもよい。
【００１８】
図３のように、駆動ローラ３４ａは、ギア収納部３２に設けられたギア機構３６によってダイヤル３３の動力が伝達されるようになっている。ギア機構３６は、ダイヤル軸４１ａを介してダイヤル３３に軸着された第一ギア３６ａと、共通のギア軸４１ｂに設けられた第二及び第三ギア３６ｂ，３６ｃと、駆動ローラ３４ａのローラ軸３４ｅに取り付けられた第四ギア３６ｄとから構成されている。第一ギア３６ａは、ダイヤル３３の回転操作に従って回転し、第二ギア３６ｂと噛合されている。第二ギア３６ｂの設けられたギア軸４１ｂは、ギア収納部３２とケース３１の側壁に各々設けた軸受け４２ａ，４２ｂに取り付けられており、第二ギア３６ｂと、それよりも直径の大きい第三ギア３６ｃとが連動して回転するようになっている。また、この第三ギア３６ｃは第四ギア３６ｄと噛合されており、第四ギア３６ｄの設けられたローラ軸３４ｅが、ギア収納部３２とケース３１の側壁に各々設けた軸受け４２ｃ，３８に取り付けられているので、第三ギア３６ｂと連動して駆動ローラ３４ａが回転するようになっている。各ギア３６ａ，３６ｂ，３６ｃ，３６ｄのギア比は、ダイヤル３３が一回転するごとに各仕切り板３４ｄが、移動方向の隣り合う仕切り板３４の位置に丁度移動するように決定されている。したがって、各仕切り板３４ｄは、ダイヤル３３が一回転するたびに順次、次の所定位置（図２に示している位置）へと移動していき、灰皿部３０に収納された吸殻５３は装置の奥へと搬送されていく。
【００１９】
ギア軸４１ｂの端部と、この端部が嵌入されるケース３１側壁の軸受け４２ｂには、図４のように、それぞれ円周上に爪４３と対応する溝４４が設けられており、ワンウェイクラッチを構成している。したがって、ダイヤル３３は一方向（図中、矢印を参照）にしか回転できないようになっており、遊技者が遊技に夢中になるあまり操作を誤って反対方向にダイヤル３３を回すことを防止できる。また、溝４４に爪４３が嵌合したときに発する微弱な振動によって遊技者はある種の手ごたえを感じ取ることができるため、ダイヤル３３及びギア収納部３２の指標３３ａ，３２ａを見ながらダイヤル３３を操作する必要なく、仕切り板３４ｄを所定の位置へ確実に移動させることができる。したがって、遊技者は、灰皿部３０がいっぱいになったときに、遊技からほとんど注意を逸らすことなく、灰皿部３０を正確に切り替えて喫煙を継続できる。
【００２０】
また、ケース３１の収納箱４側の側面には、一対のＬ字状の取付金具３７がそれぞれ上下に、螺子止めなどの手段で互いに向き合うように取り付けられている。これらの取付金具３７は、スロットマシン２の奥行き方向に沿ってレール状に延びており、同様に収納箱４の側面にも、互いに背を向けるように取り付けられた一対のＬ字状の取付金具４０に嵌合されるようになっている。したがって、吸殻回収装置１は、スロットマシン２の前面側から取付金具３７，４０を嵌合させる位置に合わせた後、収納箱４の背面に設けたストッパ４ａに当接するまでスライドさせることでスロットマシン２に装着される。逆に、清掃などの保守管理を行うために吸殻回収装置１をスロットマシン２から取り外す場合は、ダイヤル３３を適当な回数操作して装置内の吸殻５３を排出した後で、吸殻回収装置１を手前に引き抜けばよい。なお、遊技場のスタッフ以外が容易に吸殻回収装置１を引き抜けないように、収納箱４と吸殻回収装置１にシリンダー錠などによるロック機構を備えてもよい。
【００２１】
次に本発明に係る吸殻回収装置１の作用効果について説明する。遊技場のスタッフは、営業開始前に清掃済みの吸殻回収装置１をスロットマシンに取り付けるとともに、清掃済みの回収箱５１に水を満たして設置台５０に取り付ける。遊技場の営業が開始されると、遊技者は、遊戯中に吸ったタバコの吸殻５３を灰皿部３０へと随時投棄する。そして、灰皿部３０が吸殻５３でいっぱいになると、遊技者は、遊技を行いつつダイヤル３３を所定方向に回転操作して、爪４３が溝４４に嵌合する手ごたえがあるところ、あるいは、指標３３ａ，３２ａを見て互いに合致するところで止めてもよい。これにより、各仕切り板３４ｄが次の所定位置に移動し、開口３１ａの中に新しい灰皿部３０が現れているので、遊技者は、遊技場のスタッフに灰皿部３０の清掃を行ってもらわずに喫煙を継続できる。灰皿部３０に収納された吸殻５３は、ダイヤル３３が一回転するごとに装置の奥へ搬送されていき、搬送ベルト３４ｃの端部に達したときに落下して下部の排出孔３１ｂから排出される。
【００２２】
排出された吸殻５３は、設置台５０のダクト５０ｂを落下して回収箱５１に回収される。回収箱５１には、水が入っているため、火を消し損なった吸殻５３があっても安全に回収できる。遊技場のスタッフは、清掃のために、営業終了後、あるいは一定時間おきに吸殻回収装置１と、回収箱５１を交換する。これにより、遊技者は、遊技をほとんど邪魔されることなく、喫煙しながらの遊技を快適に楽しむことができる。
【００２３】
このように本発明に係る吸殻回収装置１は、低コストに製造できる上、清掃作業の回数を低減させることによって、遊技場の保守管理コストを削減するとともに、遊技者に快適な遊技を提供することができる。なお、本実施形態では、スロットマシン２の設置台５０に回収箱５１を設けて吸殻５３を回収するようにしたが、これに限られず、排出孔３１ｂから、遊技機を設置する島に共通に設けられたベルトコンベアなどの回収設備へと吸殻５３を落下させるようにしてもよい。さらに、スロットマシン２の収納箱４の大きさによる設計上の制約がなければ、回収箱５１を吸殻回収装置１に一体的に取り付けられる構造とすることもできる。あるいは、図５のように、ケース６１の高さを高くして、ケース６１の底部に吸殻収納部６２を設けることもできる。この吸殻回収装置６０では、吸殻５３は、ケース６１の外部に排出されず、搬送ベルト３４ｃの端部まで順次に搬送されて落下し、下方の吸殻収納部６２に蓄積されていくことになるが、下部側の仕切り板３４ｄが、移動の度に収納部６２に積もった吸殻５３を崩して平滑にしていくために、収納部６２は十分に吸殻５３を収納することができる。さらにまた、図２及び図３で説明した実施形態は、搬送ローラ対３４ａ，３４ｂと搬送ベルト３４ｃを略水平に設置しているが、略垂直に設置しても、同様の効果を奏することができる。ちなみに、本実施形態では遊技機の一例としてスロットマシンについて説明したが、これに限られるものではなく、例えばパチンコ機やビデオゲーム機などの遊技場に設置される他の遊技機についても同様に、本発明に係る吸殻回収装置を適用することができる。
【図面の簡単な説明】
【００２４】
【図１】本発明の吸殻回収装置を適用した遊技機の一例を示す斜視図である。
【図２】吸殻回収装置の側面方向の断面図である。
【図３】吸殻回収装置の正面方向の断面図である。
【図４】吸殻回収装置に設けたワンウェイクラッチである。
【図５】他の実施形態に係る吸殻回収装置の側面方向の断面図である。
【符号の説明】
【００２５】
１，６０  吸殻回収装置
２  スロットマシン
３０  灰皿部
３１，６１  ケース
３１ａ  開口
３１ｂ  排出孔
３２  ギア収納部
３３  ダイヤル
３４  搬送機構
３４ａ  駆動ローラ
３４ｂ  従動ローラ
３４ｃ  搬送ベルト
３４ｄ  仕切り板
５０  設置台
５１  回収箱
５３  吸殻
３７，４０  取付金具
６２  吸殻収納部
【図１】
2008229071.tif 000003
【図２】
2008229071.tif 000004
【図３】
2008229071.tif 000005
【図４】
2008229071.tif 000006
【図５】
2008229071.tif 000007